(57)【特許請求の範囲】
【請求項１】
柱状のガードルと、ガードル上部に設けられているとともに、その頂部に八辺形をしたテーブルファセットを持ったクラウンと、ガードル下部に設けられたパビリオンとを有し、
前記ガードルはクラウンとの間に上部稜とパビリオンとの間に下部稜とを持っており、
テーブルファセットと平行なガードル断面の輪郭線が楕円あるいは楕円に類似した形をしたダイヤモンドにおいて、
そのダイヤモンドは、輪郭線の長軸を含みテーブルファセットに垂直な平面からなる中央面と、中央面上にあってテーブルファセットと垂直に交わる直線からなる中心軸と、中心軸を中心として輪郭線の少なくとも一方の長軸端に於いて輪郭線に外接する円からなる外接円とを持つとともに、
前記中央面と、ガードル断面の輪郭線の短軸と前記中心軸とを有する平面と、その平面と前記中央面とが中心軸の周りになす角を２等分する平面とからなる八分割面を持っており、
前記テーブルファセットは、中央面上に対向する２頂点と、中央面に関して対称な６頂点とを持ち、
前記クラウンは、ガードル上部稜とテーブルファセットとの間の周囲に、８個の四辺形をしたクラウンメインファセットと、８個の三角形をしたスターファセットと、１６個のアッパーガードルファセットとを有し、
前記クラウンメインファセットそれぞれは、八分割面それぞれがガードル上部稜と交差する点と、テーブルファセットの各頂点とを対頂点としているとともに、隣接するクラウンメインファセットそれぞれとの間で他の頂点を共有している四辺形であり、
前記スターファセットそれぞれは、前記テーブルファセットの各辺を底辺として、その辺の両端にそれぞれ頂点を持って隣接する２個のクラウンメインファセットが共有している前記他の頂点を対頂点として持つ三角形であり、
前記アッパーガードルファセットそれぞれは、クラウンメインファセットの側辺のうち、ガードル上部稜上に一端を持つ辺を底辺として、ガードル上部稜上に頂点を持つ三角形あるいは楕円セクターであり、
前記パビリオンは、前記中心軸の下端に下頂点を有し、その下頂点とガードル下部稜との間の周囲に８個のパビリオンメインファセットと１６個のロワーガードルファセットとを持ち、
そのパビリオンメインファセットそれぞれは、前記下頂点とガードル下部稜との間の周囲で、前記下頂点から、前記八分割面それぞれがガードル下部稜と交差する点に向けて延びている四辺形あるいは部分四辺形であるとともに、隣り合っているパビリオンメインファセットとの間に前記下頂点を一端とする辺を共有しており、前記パビリオンメインファセットのうち少なくとも７個のパビリオンメインファセットそれぞれは、前記八分割面それぞれと前記外接円との交点と、前記下頂点とを対頂点として形成されており、
前記ロワーガードルファセットは、パビリオンメインファセットと前記ガードル下部稜との間に形成されており、前記ロワーガードルファセットそれぞれは、パビリオンメインファセットの側辺のうち、ガードル下部稜上に一端を持つ辺を底辺として、ガードル下部稜上に頂点を持つ三角形あるいは楕円セクターであって、各パビリオンメインファセットがその両側にそれぞれ１個の前記ロワーガードルファセットを持ち、
ガードル断面の輪郭線が形成している前記楕円あるいは楕円に類似した形は、その長軸方向半径（以下、「長径」という）をａ、その短軸方向半径（以下、「短径」という）をｂとしたときに、短長径比（ｂ／ａ）が０．６以上であり、
中心軸に関して互いに反対の位置にある２個のパビリオンメインファセットからなるパビリオンメインファセット対４対それぞれに関して、各対のパビリオンメインファセットそれぞれがガードルを挟んで向かい合っているクラウンメインファセットを有し、これら２個のパビリオンメインファセットと２個のクラウンメインファセットとテーブルファセットとがそれらのファセット内に共通の垂直面を持つオーバルカットしたダイヤモンド。
【請求項２】
前記中心軸がガードル断面の輪郭線の長軸中心に設けられており、前記外接円が前記輪郭線の両長軸端で輪郭線に外接する請求項１記載のオーバルカットしたダイヤモンド。
【請求項３】
前記パビリオンメインファセットそれぞれは、前記八分割面それぞれと前記外接円との交点と、前記下頂点とを対頂点として持つ請求項２記載のオーバルカットしたダイヤモンド。
【請求項４】
前記パビリオンメインファセットそれぞれは、テーブルファセットとの間に実質的に同じパビリオン角を持つ請求項３記載のオーバルカットしたダイヤモンド。
【請求項５】
実質的に同じパビリオン角を持つパビリオンメインファセットそれぞれがガードルを挟んで向かい合っているクラウンメインファセットは、テーブルファセットとの間に実質的に同じクラウン角を持つ請求項４記載のオーバルカットしたダイヤモンド。
【請求項６】
パビリオンメインファセットそれぞれがテーブルファセットとの間に持つパビリオン角と、クラウンメインファセットそれぞれがテーブルファセットとの間に持つクラウン角とが、横軸をパビリオン角（ｐ）とし、縦軸をクラウン角（ｃ）として描いたグラフ上の点（ｐ，ｃ）：（４３°，１０°）、（４１°，１４°）、（３７°，２３°）、（３５°，３３°）、（３５°，３６°）、（３７°，４２°）、（３９°，４２°）、（４１°，３６°）、（４３°，２４°）および（４４．７°，９°）を結ぶ線で囲まれた領域にある請求項５記載のオーバルカットしたダイヤモンド。
【請求項７】
前記ガードルは全周に亘って実質的に同じガードル高さを持つとともに、下頂点から長軸方向に延びている２個のパビリオンメインファセットを除いた６個のパビリオンメインファセットおよび、それら６個のパビリオンメインファセットのうち隣接する２個のパビリオンメインファセットの間にあるロワーガードルファセットとは、それぞれのファセットとガードル下部稜との間に、パビリオン角よりも大きな角度をテーブルファセットとの間に持っている調整面を持ち、前記それぞれのファセットと前記調整面との間に稜線を形成している請求項６記載のオーバルカットしたダイヤモンド。
【請求項８】
前記八分割面それぞれと前記外接円との交点と、前記下頂点とを対頂点として持つ前記少なくとも７個のパビリオンメインファセットは、テーブルファセットとの間に実質的に同じパビリオン角を持つ請求項１記載のオーバルカットしたダイヤモンド。
【請求項９】
実質的に同じパビリオン角を持つパビリオンメインファセットそれぞれがガードルを挟んで向かい合っているクラウンメインファセットは、テーブルファセットとの間に実質的に同じクラウン角を持つ請求項８記載のオーバルカットしたダイヤモンド。
【請求項１０】
パビリオンメインファセットそれぞれがテーブルファセットとの間に持つパビリオン角と、クラウンメインファセットそれぞれがテーブルファセットとの間に持つクラウン角とが、横軸をパビリオン角（ｐ）とし、縦軸をクラウン角（ｃ）として描いたグラフ上の点（ｐ，ｃ）：（４３°，１０°）、（４１°，１４°）、（３７°，２３°）、（３５°，３３°）、（３５°，３６°）、（３７°，４２°）、（３９°，４２°）、（４１°，３６°）、（４３°，２４°）および（４４．７°，９°）を結ぶ線で囲まれた領域にある請求項９記載のオーバルカットしたダイヤモンド。
【請求項１１】
前記ガードルは全周に亘って実質的に同じガードル高さを持つとともに、下頂点から長軸方向に延びている２個のパビリオンメインファセットを除いた６個のパビリオンメインファセットおよび、それら６個のパビリオンメインファセットのうち隣接する２個のパビリオンメインファセットの間にあるロワーガードルファセットとは、それぞれのファセットとガードル下部稜との間に、パビリオン角よりも大きな角度をテーブルファセットとの間に持っている調整面を持ち、前記それぞれのファセットと前記調整面との間に稜線を形成している請求項１０記載のオーバルカットしたダイヤモンド。
【請求項１２】
テーブルファセットと平行なガードル断面の前記輪郭線が楕円である請求項１記載のオーバルカットしたダイヤモンド。
【請求項１３】
テーブルファセットと平行なガードル断面の前記輪郭線が、２個の楕円弧が交わって形成された形をしている請求項１記載のオーバルカットしたダイヤモンド。
【請求項１４】
テーブルファセットと平行なガードル断面の前記輪郭線が、３個の楕円弧が交わって形成された形をしている請求項１記載のオーバルカットしたダイヤモンド。
【発明の詳細な説明】
【技術分野】
【０００１】
本発明はダイヤモンドのカットに関し、特にオーバルガードルを持っていて、反射光の輝きの強いダイヤモンドのカットに関するものである。
【背景技術】
【０００２】
ダイヤモンドのカットとして一般に用いられているのはラウンドブリリアントカットである。ラウンドブリリアントカットしたダイヤモンドでは、そのクラウンの頂面に正八角形のテーブルファセットと、テーブルファセットとガードルとの間のクラウン外周面上に８個のクラウンメインファセットと８個のスターファセットと１６個のアッパーガードルファセットとを持つ。更に、ガードル下部の頂点にキュレットと、キュレットとガードルとの間のパビリオン外周面上に８個のパビリオンメインファセットと１６個のロワーガードルファセットとを持つ。そこでラウンドブリリアントカットは、テーブルファセットとキュレットとを含めて５８面体であると一般に言われている。そして、ラウンドブリリアントカットは中心軸に関して８回の回転対称となっている。【０００３】
本発明者等はラウンドブリリアントカットダイヤモンドにおいて、「視知覚反射光の量」の概念を導入して、ダイヤモンドを観察する際に観察する人が知覚することのできる輝きの大きさを評価するために、視知覚反射光の量を大きくすることのできるカットデザインを発明し、それを特許出願して、特許文献１として公開されている。【０００４】
前記ラウンドブリリアントカットダイヤモンドの特許出願においては、まず物理的反射光量としてダイヤモンドの半径を１００等分したメッシュに切ってメッシュ毎の光量密度を求めた。ダイヤモンドは半径数ｍｍ程度なので、各メッシュは数百μｍ２となる。人が知覚することのできる大きさを勘案して３０メッシュ以上の大きさをしたパターンのみについて、パターン毎に物理的反射光量１０を単位として、その平方根を求めて、その値を全パターンについて和を求めて視知覚反射光の量とした。すなわち、
視知覚反射光の量＝Σ｛（３０メッシュ以上のパターン毎についての物理的反射光量）／１０｝１／２である。【０００５】
ダイヤモンドをダイヤモンドのテーブルファセット上から人が観察する場合、観察者の背後から入射する光線はその人に遮られてダイヤモンドに届かない。反対に大きな角度で入射する光線は反射光にはあまり有効ではない。そこで、ダイヤモンドのテーブルファセットに立てた垂線（テーブルファセット中心とキュレットを結ぶ中心線）に対して、２０〜４５°で入射する光を有効な光として扱って、その範囲の入射光による反射光の強さを「有効視知覚反射光の量」と呼び、その有効視知覚反射光の量を大きくすることのできるカットデザインについても前記特許出願では検討している。【０００６】
ダイヤモンドからの反射光を検討する際に、ダイヤモンドの周囲から一様な光が入射するとしたときは、前記有効視知覚反射光の量は有効であるが、平面をした天井から光が照射される場合には入射光の入射角度（θ）のｃｏｓ２θを用いて光の強さを表すことが必要である。【０００７】
ラウンドブリリアントカットの変形として、ガードルが楕円となったオーバルカットしたダイヤモンドがある。オーバルカットしたダイヤモンドにおいてもガードルの上部にクラウン、ガードルの下部にパビリオンを持ち、クラウンの頂部にテーブルファセットを持つ。オーバルカットしたダイヤモンドは中心軸に関して対称となっていないものが一般に用いられている。【０００８】
中心軸に関して対称となっていないオーバルカットしたダイヤモンドは反射光の輝きが小さいものとなっている。また、ラウンドブリリアントカットを縦横の一方向に扁平としたものもある。例えば、非特許文献１を参照。【０００９】
オーバルカットカットしたダイヤモンドではオーバルとなったガードルと、そのガードルの上部に設けられているとともに、その頂部にテーブルファセットを持ったクラウンと、ガードル下部にパビリオンを持つ。オーバルブリリアントカットにおけるクラウンとパビリオンはともにラウンドブリリアントカットにおける円形ガードルをオーバルガードルに代えてそれに伴い変形したものとなっている。すなわち、オーバルブリリアントカットのパビリオンではオーバルガードルとそのガードルの長軸および短軸との交点、および隣り合っている長軸と短軸とがなす角をほぼ２等分する２等分線とガードルとの交点それぞれからキュレットに収束している８個のパビリオンメインファセットがある。パビリオンには隣り合っているパビリオンメインファセットとガードルとで囲まれた部分を２つに分けた楕円セクターあるいはほぼ三角形をしたロワーガードルファセットが１６個ある。非特許文献１に示されたオーバルカットダイヤモンドでは長軸側に設けたパビリオンメインファセットのパビリオン角（パビリオンメインファセットとテーブルファセットとの角）に比べて短軸側にあるパビリオンメインファセットのパビリオン角が大きくなり、長軸と短軸との中間に設けたパビリオンメインファセットのパビリオン角はそれらのパビリオン角の中間となっていた。同様に、長軸側のロワーガードルファセットがテーブルファセットとなす角度よりも、短軸側のロワーガードルファセットのテーブルファセットとなす角度が大きくなっていた。【００１０】
他方クラウンでは、八辺形をしたテーブルファセットの頂点のうち長軸側にある頂点を外方向にずらし、短軸側にある頂点を内側にずらして、長軸方向に少し延びた八辺形テーブルファセットとして、クラウンメインファセット（「ベーゼルファセット」と呼ぶことがある）の半径方向長さとクラウン角とを同じとすることができる。【００１１】
その結果としてオーバルブリリアントカットダイヤモンドは８個のクラウン角をほぼ同じとして、８個のパビリオン角の間に差のあるものとなっていた。また１６個のロワーガードルファセットがテーブルファセットとなす角度も違ったものとなっていた。長軸側に設けたパビリオンメインファセットのパビリオン角が小さく、短軸側に設けたパビリオンメインファセットのパビリオン角が大きくなっているために、長軸と短軸との中間に設けたパビリオンメインファセットは中心軸の方向に向いていないこととなっていた。このように違った値をしたパビリオン角と違った値をしたロワーガードルファセット角とを持っているとともに、中心軸の方向を向いていないファセットがあったので、パビリオンメインファセットとロワーガードルファセットで反射された光およびそれらの面から出てくる光パターンは、それらの面からの反射光の方向が同じとなっていないために一様なものとはならず、極めて細かい形状の反射パターンとなって特定が困難なものとなっており、またクラウンファセットやテーブルファセットでの輝きの低いものであった。【００１２】
本発明者等は、前記特許出願で導入した「視知覚反射光の量」を用いて、反射光の量を求めることにした。２０〜４５°で入射する光についての「有効視知覚反射光の量」と、入射光の入射角度（θ）のｃｏｓ２θを用いてウエイト付をした入射光強度から求めた「視知覚反射光の量」との算術平均を「反射評価指数」とした。この反射評価指数を用いて、反射光の強い輝きを持ったオーバルカットについて検討した。
【特許文献１】特開２００３−３１０３１８号公報
【非特許文献１】「ＧＩＡダイヤモンドディクショナリー」（Ｔｈｅ  ＧＩＡ  ＤＩＡＭＯＮＤ  ＤＩＣＴＩＯＮＡＲＹ）第３版、米国、米国宝石学会発行、１９９３年、１６７−１６８ページ
【発明の開示】
【発明が解決しようとする課題】
【００１３】
そこで、本発明の目的とするところは、テーブル上部から観察したときに反射光の輝きが強いオーバルカットしたダイヤモンドを提供するものである。
【課題を解決するための手段】
【００１４】
本発明のオーバルカットしたダイヤモンドは、柱状のガードルと、ガードル上部に設けられているとともにその頂部に八辺形をしたテーブルファセットを持ったクラウンと、ガードル下部に設けられたパビリオンとを有し、ガードルはクラウンとの間に上部稜とパビリオンとの間に下部稜とを持っている。テーブルファセットと平行なガードル断面の輪郭線が楕円あるいは楕円に類似した形をしている。このダイヤモンドは、輪郭線の長軸を含みテーブルファセットに垂直な平面からなる中央面と、中央面上にあってテーブルファセットと垂直に交わる直線からなる中心軸と、中心軸を中心として輪郭線の少なくとも一方の長軸端に於いて輪郭線に外接する円からなる外接円とを持つ。またこのダイヤモンドは、このダイヤモンドの中央面と、ガードル断面の輪郭線の短軸とこのダイヤモンドの中心軸とを有する平面と、その平面と前記中央面とが中心軸の周りになす角を２等分する平面とからなる八分割面を持つ。【００１５】
テーブルファセットは中央面上に対向する２頂点と、中央面に関して対称なテーブルファセットの他の６頂点とを持つ。【００１６】
クラウンは、ガードル上部稜とテーブルファセットとの間の周囲に、８個の四辺形をしたクラウンメインファセットと、８個の三角形をしたスターファセットと、１６個のアッパーガードルファセットとを有する。クラウンメインファセットそれぞれは、八分割面それぞれがガードル上部稜と交差する点と、テーブルファセットの各頂点とを対頂点としているとともに、隣接するクラウンメインファセットそれぞれとの間で他の頂点を共有している四辺形である。スターファセットそれぞれは、テーブルファセットの各辺を底辺として、その辺の両端にそれぞれ頂点を持って隣接する２個のクラウンメインファセットが共有している前記他の頂点を対頂点として持つ三角形である。アッパーガードルファセットそれぞれは、クラウンメインファセットの側辺のうち、ガードル上部稜上に一端を持つ辺を底辺として、ガードル上部稜上に頂点を持つ三角形あるいは楕円セクターである。【００１７】
パビリオンは、このダイヤモンドの中心軸の下端に下頂点を有し、その下頂点とガードル下部稜との間の周囲に８個のパビリオンメインファセットと１６個のロワーガードルファセットとを持つ。そのパビリオンメインファセットそれぞれは、下頂点とガードル下部稜との間の周囲で、下頂点から、八分割面それぞれがガードル下部稜と交差する点に向けて延びている四辺形あるいは部分四辺形であるとともに、隣り合っているパビリオンメインファセットとの間に下頂点を一端とする辺を共有しており、パビリオンメインファセットのうち少なくとも７個のパビリオンメインファセットそれぞれは、八分割面それぞれと外接円との交点と、下頂点とを対頂点として形成されている。ロワーガードルファセットは、パビリオンメインファセットとガードル下部稜との間に形成されている。ロワーガードルファセットそれぞれは、パビリオンメインファセットの側辺のうち、ガードル下部稜上に一端を持つ辺を底辺として、ガードル下部稜上に頂点を持つ三角形あるいは楕円セクターであって、各パビリオンメインファセットがその両側にそれぞれ１個の前記ロワーガードルファセットを持つ。【００１８】
ガードル断面の輪郭線が形成している楕円あるいは楕円に類似した形は、その長軸方向半径（以下、「長径」という）をａ、その短軸方向半径（以下、「短径」という）をｂとしたときに、短長径比（ｂ／ａ）が０．６以上である。【００１９】
本発明のオーバルカットしたダイヤモンドで、中心軸に関して互いに反対の位置にある２個のパビリオンメインファセットからなるパビリオンメインファセット対４対それぞれに関して、各対のパビリオンメインファセットそれぞれがガードルを挟んで向かい合っているクラウンメインファセットを有し、これら２個のパビリオンメインファセットと２個のクラウンメインファセットとテーブルファセットとがそれらのファセット内に共通の垂直面を持つことが必要である。【００２０】
上で述べた本発明のオーバルカットしたダイヤモンドで、中心軸がガードル断面の輪郭線の長軸中心に設けられており、外接円が輪郭線の両長軸端で輪郭線に外接することが好ましい。【００２１】
八分割面それぞれと外接円との交点と、下頂点とを対頂点として持つ少なくとも７個のパビリオンメインファセットは、テーブルファセットとの間に実質的に同じパビリオン角を持つことが好ましい。【００２２】
パビリオンメインファセットそれぞれは、八分割面それぞれと前記外接円との交点と、下頂点とを対頂点として持つことが好ましい。そして、パビリオンメインファセットそれぞれは、テーブルファセットとの間に実質的に同じパビリオン角を持つことが更に好ましい。【００２３】
上で述べた本発明のオーバルカットしたダイヤモンドで、実質的に同じパビリオン角を持つパビリオンメインファセットそれぞれがガードルを挟んで向かい合っているクラウンメインファセットは、テーブルファセットとの間に実質的に同じクラウン角を持つことが好ましい。【００２４】
上で述べた本発明のオーバルカットしたダイヤモンドで、パビリオンメインファセットそれぞれがテーブルファセットとの間に持つパビリオン角と、クラウンメインファセットそれぞれがテーブルファセットとの間に持つクラウン角とが、横軸をパビリオン角（ｐ）とし、縦軸をクラウン角（ｃ）として描いたグラフ上の点（ｐ，ｃ）：（４３°，１０°）、（４１°，１４°）、（３７°，２３°）、（３５°，３３°）、（３５°，３６°）、（３７°，４２°）、（３９°，４２°）、（４１°，３６°）、（４３°，２４°）および（４４．７°，９°）を結ぶ線で囲まれた領域にあることが好ましい。【００２５】
上で述べた本発明のオーバルカットしたダイヤモンドで、ガードルは全周に亘って実質的に同じガードル高さを持つとともに、下頂点から長軸方向に延びている２個のパビリオンメインファセットを除いた６個のパビリオンメインファセットおよび、それら６個のパビリオンメインファセットのうち隣接する２個のパビリオンメインファセットの間にあるロワーガードルファセットとは、それぞれのファセットとガードル下部稜との間に、パビリオン角よりも大きな角度をテーブルファセットとの間に持っている調整面を持ち、それぞれのファセットと調整面との間に稜線を形成していることが好ましい。【００２６】
本発明のオーバルカットしたダイヤモンドにおいて、ダイヤモンドの中心軸がガードル断面の輪郭線の長軸中心を通っていることが好ましい。【００２７】
本発明のオーバルカットしたダイヤモンドにおいて、テーブルファセットと平行なガードル断面の輪郭線が楕円であることが好ましい。【００２８】
そして、本発明は、２個の楕円弧（あるいは楕円弧の一種である円弧）が交わって形成された形をした輪郭線をテーブルファセットと平行なガードル断面に持ったマルキーズと呼ばれているダイヤモンドにも適用することが出来る。【００２９】
更に、本発明は、３個の楕円弧（あるいは楕円弧の一種である円弧）が交わって形成された形をした輪郭線をテーブルファセットと平行なガードル断面に持ったペアシェイプと呼ばれているダイヤモンドにも適用することが出来る。
【発明の効果】
【００３０】
本発明のオーバルカットしたダイヤモンドでは、テーブル上部から観察したときに反射光の輝きが強いものとなっている。ラウンドブリリアントカットを縦横の一方向に扁平としたダイヤモンドと比較して２００〜３００％程度輝きが強くなっている。また、ガードルハイトをガードル全周に亘って実質的に同じ値とすることができるので、外観の良いものとすることができる。
【図面の簡単な説明】
【００３１】
【図１】本発明の実施例１によるオーバルカットしたダイヤモンドの上面図を示す。
【図２】本発明の実施例１によるオーバルカットしたダイヤモンドの底面図を示す。
【図３】本発明の実施例１によるオーバルカットしたダイヤモンドの正面図を示す。
【図４】本発明の実施例１によるオーバルカットしたダイヤモンドの側面図を示している。
【図５】実施例１のオーバルカットしたダイヤモンドのｚｘ断面を用いて、光路を説明する図である。
【図６】実施例１のオーバルカットしたダイヤモンドのｙｚ断面を用いて、光路をする図である。
【図７】実施例２によるオーバルカットしたダイヤモンドの上面図を示す。
【図８】実施例２によるオーバルカットしたダイヤモンドの底面図を示す。
【図９】実施例２によるオーバルカットしたダイヤモンドの正面図を示す。
【図１０】実施例２によるオーバルカットしたダイヤモンドの側面図を示す。
【図１１】実施例３によるオーバルカットしたダイヤモンドの底面図を示す。
【図１２】実施例３によるオーバルカットしたダイヤモンドの正面図を示す。
【図１３】実施例３によるオーバルカットしたダイヤモンドの側面図を示す。
【図１４】実施例３によるオーバルカットしたダイヤモンドのｚｘ断面を用いて光路を説明する図である。
【図１５】実施例３によるオーバルカットしたダイヤモンドのｙｚ断面を用いて光路を説明する図である。
【図１６】比較例のオーバルカットしたダイヤモンドの上面図を示す。
【図１７】比較例のオーバルカットしたダイヤモンドの底面図を示す。
【図１８】比較例のオーバルカットしたダイヤモンドの正面図を示す。
【図１９】比較例のオーバルカットしたダイヤモンドの側面図を示している。
【図２０】本発明の実施例３のオーバルカットしたダイヤモンドと、比較例のオーバルカットしたダイヤモンドについて、反射評価指数と短長径比（ｂ／ａ）との関係を示すグラフである。
【図２１】本発明のオーバルカットしたダイヤモンドにおいて、好ましい反射評価指数を持つパビリオン角（ｐ）とクラウン角（ｃ）との領域を示すグラフである。
【図２２】実施例４によるオーバルカットしたダイヤモンドの底面図である。
【図２３】実施例４によるオーバルカットしたダイヤモンドの正面図である。
【図２４】実施例４によるオーバルカットしたダイヤモンドの側面図である。
【図２５】実施例５によるオーバルカットしたダイヤモンドの上面図である。
【図２６】実施例５によるオーバルカットしたダイヤモンドの底面図である。
【図２７】実施例５によるオーバルカットしたダイヤモンドの正面図である。
【図２８】実施例５によるオーバルカットしたダイヤモンドの側面図である。
【図２９】実施例６によるオーバルカットしたダイヤモンドの上面図である。
【図３０】実施例６によるオーバルカットしたダイヤモンドの底面図である。
【図３１】実施例６によるオーバルカットしたダイヤモンドの正面図である。
【図３２】実施例６によるオーバルカットしたダイヤモンドの側面図である。
【図３３】オーバルカットしたダイヤモンドの観察方法を説明する模式図である。
【符号の説明】
【００３２】
１００，２００，３００，４００，５００，６００    オーバルカットしたダイヤモンド
１１０，２１０，３１０，４１０，５１０，６１０    ガードル
１２０，５２０，６２０                            クラウン
１２２，５２２，６２２                            テーブルファセット
１２６、５２６，６２６，６２６′                  クラウンメインファセット
１３２，５３２，６３２                            スターファセット
１３６，５３６，６３６                            アッパーガードルファセット
１４０，３４０，５４０，６４０                    パビリオン
１４２，１４４，１４６，３４２，３４４，３４６，５４２，５４４，５４６，６４２，６４２′，６４４，６４６          パビリオンメインファセット
１５２，３５２，５５２，６５２                    ロワーガードルファセット
１６２，５６２，６６２                            下頂点
１７０，５７０，６７０                            八分割面
３９４，３９６，３９８ａ，３９８ｂ，３９８ｃ，５９４，５９６，５９８ａ，５９８ｂ，５９８ｃ，６９４，６９６，６９８ａ，６９８ｂ，６９８ｃ    調整面（ファセット）
３９８，５９８，６９８                            稜線
【発明を実施するための最良の形態】
【００３３】
以下本発明を実施例に基づいて詳しく説明する。
【実施例１】
【００３４】
本発明のオーバルカットをしたダイヤモンドを実施例１を示す図面に基づいて詳しく説明をする。図１は本発明の実施例１によるオーバルカットしたダイヤモンドの上面図、図２はその底面図、図３は正面図、図４は側面図をそれぞれ示している。これらの図で、オーバルカットしたダイヤモンド１００は柱状のガードル１１０と、そのガードル１１０の上部にクラウン１２０と、ガードル１１０の下部にパビリオン１４０とを持つ。クラウン１２０はその頂部に八辺形をしたテーブルファセット１２２を持っている。図１はクラウン１２０を上部から見た図、図２はパビリオン１４０を底部から見た図となっている。【００３５】
オーバルブリリアントカットしたダイヤモンドは断面がオーバルとなったガードルと、そのガードルの上部に設けられているとともに、その頂部にテーブルファセットを持ったクラウンと、ガードル下部にパビリオンを持つ。ガードルはクラウンとの間に上部稜とパビリオンとの間に下部稜とを持つ。オーバルブリリアントカットにおけるクラウンとパビリオンはともにラウンドブリリアントカットにおける円形ガードルをオーバルガードルに代えた形状をしている。【００３６】
図１と図２から明らかなように、実施例１のオーバルカットしたダイヤモンドではそのガードル１１０，すなわちテーブルファセットと平行なガードル断面が楕円となっている。しかし、後で説明するようにガードル断面が楕円となっているものだけではなく、テーブルファセットと平行なガードル断面の輪郭線が楕円あるいは楕円に類似した形をしているダイヤモンドにも本発明は適用できる。【００３７】
ここで以下の説明の便宜のために、ガードル断面の輪郭線の長軸を含みテーブルファセットに垂直な平面を中央面、中央面上にあってテーブルファセットと垂直に交わる直線を中心軸とする。この実施例では中心軸は輪郭線長軸の中央すなわち八辺形をしたテーブルファセット１２２の中心にあり、それをｚ軸とする。ｚ軸の原点はガードルの上部断面すなわちクラウンとガードルとの間にある断面上にあるとする。原点からガードルの長軸方向にｘ軸を、原点からガードルの短軸方向にｙ軸を描く。そして長軸と短軸とのなす角をほぼ２等分する２等分線を描く。中心軸（ｚ軸）を含みｘ軸、２等分線、ｙ軸それぞれの方向に延びる平面を八分割面１７０と呼ぶ。【００３８】
図１，図３および図４を参照して、テーブルファセット１２２の対向する２頂点１２３はそれぞれｘ軸方向の八分割面上と、−ｘ軸方向の八分割面上とに、すなわち中央面上に位置しており、他の６頂点１２４，１２５は中央面に関して対称の位置にある頂点を持つ。図１では、テーブルファセット１２２がｙ軸に関して対称となっているので、２頂点１２４はｙ軸を含む八分割面上にある。クラウン１２０はテーブルファセット１２２の他に、８個の四辺形をしたクラウンメインファセット１２６と、８個の三角形をしたスターファセット１３２と、１６個のアッパーガードルファセット１３６とを持つ。【００３９】
テーブルファセット１２２の対向する２頂点１２３は中央面上で中心軸（ｚ軸）からｘ軸方向（長軸方向）に実質的に同じ距離にあり、対向する２頂点１２４は中心軸からｙ軸方向（短軸方向）に実質的に同じ距離にあり、更に他の４頂点１２５それぞれは長軸と短軸とのなす角を２等分する２等分線の方向に、必ずしも２等分線の上ではないが、中心軸から実質的に同じ距離にある。【００４０】
クラウンメインファセット１２６それぞれは、八分割面１７０それぞれがガードル１１０の上部稜と交差する各点１２７，１２９および１２８と、テーブルファセット１２２の各頂点１２３，１２５および１２４とを対頂点１２７と１２３，１２９と１２５および１２８と１２４としており、隣接するクラウンメインファセット１２６との間で他の頂点１２１を共有している四辺形である。クラウンメインファセット１２６それぞれは八分割面と垂直に交わっている。また、クラウンメインファセットがテーブルファセットとの間に持つ角度（クラウン角（ｃ））を８個のクラウンメインファセットについて同じとすることが好ましい。【００４１】
クラウンメインファセット１２６を形成する際に、八分割面と垂直に交わるとともにテーブルファセットとの間に同じ角度を持つ平面をテーブルファセットの１頂点を通るように形成する。その平面と当該八分割面との交線がそのガードルと交わった点を、クラウンメインファセットのガードル上の頂点とすることができる。例えば、ｘ軸とｙ軸とのなす角を２等分する方向にあるクラウンメインファセット１２６の場合、ｘ軸とｙ軸とのなす角を２等分する方向の八分割面と垂直に交わり予め決めたクラウン角を持つ平面をテーブルファセットの頂点１２５を通るように形成する。その平面とその八分割面１７０との交線がガードル１１０と交わった点１２９をガードル上の頂点とする。このようにして、クラウンメインファセット１２６は対頂点１２５と１２９とを持つようになる。他の７個のクラウンメインファセット１２６を同様に形成する。クラウンメインファセットの隣り合ったもの同士の交線の上でテーブルファセットからの深さが同じとなる点を頂点１２１とする。このように形成した８個の四辺形をしたクラウンメインファセット１２６はそれぞれ八分割面と垂直に交わっているとともに、すべてのクラウンメインファセットのクラウン角（ｃ）が同じとなる。【００４２】
スターファセット１３２それぞれは、テーブルファセット１２２の各辺（例えば、線分１２３−１２５）を底辺として、その辺（例えば、１２３−１２５）の両端１２３と１２５とにそれぞれ頂点を持って隣接する２個のクラウンメインファセット１２６と１２６とが共有している点１２１を頂点として持つ三角形である。【００４３】
アッパーガードルファセット１３６それぞれは、クラウンメインファセット１２６の側辺のうちガードル１１０の上部稜上に一端（例えば、１２７）を持つ辺（例えば、１２７−１２１）を底辺として、ガードル上部稜上に頂点（例えば１３８）を持つ。それは通常三角形をしているが、図にあるようにガードルとの交線が楕円弧となっている楕円セクターの場合もある。この例では八分割面１７０とガードル１１０との交点と、隣り合うクラウンメインファセットが共有している頂点１２１とを結ぶ線を境界線として２個のアッパーガードルファセット１３６は隣り合っている。【００４４】
図２から図４を参照して、パビリオン１４０は中心軸の下端に下頂点１６２，すなわちキュレットを持つ。パビリオン１４０は下頂点１６２とガードル１１０の下部稜との間がほぼ楕円錐形となっており、その外周に８個のパビリオンメインファセット１４２，１４４，１４６と１６個のロワーガードルファセット１５２とを持つ。【００４５】
パビリオンメインファセットそれぞれは、下頂点１６２とガードル１１０の下部稜との間で、ｘ軸方向、ｙ軸方向、および２等分線の方向に下頂点１６２から延びており、ｘ軸方向に延びたパビリオンメインファセット１４２、ｙ軸方向に延びたパビリオンメインファセット１４４、２等分線方向のパビリオンメインファセット１４６ともに四辺形あるいは部分四辺形となっている。そして、パビリオンメインファセット１４２は隣り合っているパビリオンメインファセット１４６との間に下頂点１６２を一端とする辺１８６を共有している。他のパビリオンメインファセット１４４，１４６についても同様に隣り合っているパビリオンメインファセットとの間に下頂点１６２を一端とする辺１８６を共有している。【００４６】
ロワーガードルファセット１５２それぞれは、パビリオン楕円錐形外周面上で、パビリオンメインファセット１４２，１４４，１４６とガードル１１０の下部稜との間に形成されていて、パビリオンメインファセットの側辺のうちガードル下部稜上に一端を持つ辺（例えば、１４８−１８７）を底辺として、ガードル下部稜上に頂点（例えば、１５４）を持つ三角形あるいは楕円セクターであるということができる。【００４７】
ガードル１１０の長軸端においてガードルに外接する外接円１４７を、中心軸を中心にして描く（図２参照）。八分割面１７０それぞれが外接円１４７と点１４８，１４９および１５０で交わる。パビリオンメインファセット１４２，１４４，１４６それぞれは、下頂点１６２と点１４８，１４９，１５０それぞれとを対頂点として持つ。そこで各パビリオンメインファセットは八分割面それぞれと垂直に交わっている。また各パビリオンメインファセットがテーブルファセットとの間に持つ角度（パビリオン角（ｐ））を同じとしている。パビリオンメインファセット１４２，１４４，１４６それぞれは下頂点１６２を一端とした辺１８６と、その辺１８６の他端１８７とを、隣接するパビリオンメインファセットとの間で共有している。図２から明らかなように短軸側では、ガードル１１０の短径が外接円１４７の半径よりも小さくなっているので、短軸側にあるパビリオンメインファセット１４４のガードル側先端が切断されて部分四辺形となっている。【００４８】
ロワーガードルファセット１５２それぞれは、図２を参照して、隣接する２個のパビリオンメインファセット（例えば、１４２と１４６）が共有している辺１８６の他端１８７と、八分割面と外接円１４７との交点１５０とを通る辺（線分１８７−１５０）を持つ。そして、隣接する２個の八分割面１７０がなす角を２等分する面がガードル１１０と交わる点１５４をロワーガードルファセット１５２はその頂点として持つ。すなわち、ロワーガードルファセット１５２は線分１８７−１５０と線分１５４−１８７とで挟まれた３角形あるいは楕円セクターである。【００４９】
実施例１ではパビリオンメインファセット１４２，１４４，１４６のそれぞれは中心軸の下頂点１６２と外接円１４７上の点１４８，１４９，１５０とを結んでいるので、各パビリオンメインファセットとテーブルファセット１２２との間でなす角度（パビリオン角（ｐ））が同じとなっている。【００５０】
この実施例によるオーバルカットしたダイヤモンド１００はガードルハイトがガードル全周に亘っては同じ値になっていない。長軸側では小さなガードルハイトを持ち、短軸側では大きなガードルハイトを持つ。クラウンでは、隣り合ったアッパーガードルファセット同士の稜線と、アッパーガードルファセットとクラウンメインファセットとの稜線との各々がガードルと交わった点を順次結ぶ線がほぼ直線１１２となる。しかし、パビリオンメインファセット１４２，１４４，１４６は下頂点と外接円１４７上の点とを結ぶ対角線を持っているので、楕円ガードル１１０とは、長軸側のパビリオンメインファセット１４２では外接円１４７上で、短軸側のパビリオンメインファセット１４４では外接円１４７から−ｚ軸方向に離れた位置で、それぞれ交差している。そして、２等分線の方向に延びたパビリオンメインファセット１４６は外接円１４７から少し−ｚ軸方向に離れた位置でガードル１１０と交差している。そのために、図３，図４に示すように、ガードルハイトは長軸側では小さく、短軸側では大きく、２等分線の側ではそれらの中間の値となっている。【００５１】
ガードルの輪郭線が形成している楕円あるいは楕円に類似した形で、図１に示すように、ｘ軸方向すなわち長軸方向半径（長径）をａ、ｙ軸方向すなわち短軸方向半径（短径）をｂと表す。本発明のオーバルカットしたダイヤモンドではその短長径比（ｂ／ａ）が０．６以上あることが必要で、好ましくは０．７を超えている。【００５２】
本発明のオーバルカットしたダイヤモンドでは、中心軸に関して互いに反対の位置にある２個のパビリオンメインファセットからなるパビリオンメインファセット対を４対持っている。中心軸に関して互いに反対の位置にある２個のパビリオンメインファセットからなる対は、ｘ軸方向に延びている２個のパビリオンメインファセット１４２の対、ｙ軸方向に延びている２個のパビリオンメインファセット１４４の対、２等分線の方向に延びている４個のパビリオンメインファセット１４６の２対である。更に、中心軸に関して互いに反対の位置にある２個のクラウンメインファセットからなるクラウンメインファセット対を４対持っている。中心軸に関して互いに反対の位置にあるクラウンメインファセットの対は、ｘ軸方向に延びている２個のクラウンメインファセットの対、ｙ軸方向に延びている２個のクラウンメインファセットの対、２等分線の方向に延びているクラウンメインファセットの２対である。各対のパビリオンメインファセットそれぞれがガードルを挟んでクラウンメインファセットと向かい合っている。すなわち、ｘ軸方向に延びているパビリオンメインファセット対のパビリオンメインファセットそれぞれはｘ軸方向に延びているクラウンメインファセット対のクラウンメインファセットそれぞれと向かい合っている。ｙ軸方向に延びているパビリオンメインファセット対のパビリオンメインファセットそれぞれはｙ軸方向に延びているクラウンメインファセット対のクラウンメインファセットそれぞれと向かい合っている。２等分線の方向にあるパビリオンメインファセット対とクラウンメインファセット対についても同様である。この実施例においては、各パビリオンメインファセットと各クラウンメインファセットとが各八分割面と垂直に交わっているので、ガードルを挟んで向かい合っているパビリオンメインファセット対とクラウンメインファセット対とがそれぞれファセット内に共通の垂直面を持つとともに、その垂直面がテーブルファセットとテーブルファセット内で垂直に交わっている。これらのファセットが互いに共通の垂直面を持つことによって本発明のオーバルカットしたダイヤモンドは輝きが強いものとなっている。【００５３】
図５に実施例１のオーバルカットしたダイヤモンド１００のｚｘ断面を用いて、光路を示している。テーブルファセット１２２，−ｘ軸側にあるクラウンメインファセット１２６、−ｘ軸側にあるパビリオンメインファセット１４２，ｘ軸側にあるパビリオンメインファセット１４２およびｘ軸側にあるクラウンメインファセット１２６は共通の垂直面をこれらのファセット内に持つ。あるファセットに入射した光はそのファセットで屈折あるいは反射を受けるが、これらの入射した光、屈折あるいは反射を受けた光はそのファセットに立てた垂直面に沿って進む。そのためにこれら５個のファセットが共通の垂直面を持っていると、これらすべてのファセットを通るあるいは反射を受ける光が存在する。そこで、テーブルファセット１２２，−ｘ軸側にあるクラウンメインファセット１２６を通って外部からダイヤモンド１００内に入射した光はそれぞれテーブルファセット及びクラウンメインファセットで屈折されて、−ｘ軸側にあるパビリオンメインファセット１４２へ向かう。これらの光は−ｘ軸側パビリオンメインファセット１４２で反射されて、ｘ軸側パビリオンメインファセット１４２に向かい、そこで反射を受ける。それらの光はテーブルファセット１２２とｘ軸側クラウンメインファセット１２６を通ってダイヤモンド１００の外部に出る。このようにテーブルファセットあるいはクラウンメインファセットから入りダイヤモンド内で２回反射を受けて、テーブルファセットあるいはクラウンメインファセットからダイヤモンド１００の外部に出る。テーブルファセットあるいはクラウンメインファセットから入りダイヤモンド内で２回反射を受けて、テーブルファセットあるいはメインファセットからダイヤモンド１００の外部に出る光が最も輝きが強い。反射回数が多くなると強度が弱くなる。【００５４】
テーブルファセット１２２の−ｘ軸側半分あるいは−ｘ軸側クラウンメインファセット１２６に入射した光は、−ｘ軸側パビリオンメインファセット１４２に向かうだけでなく、その入射光の一部は−ｘ軸側パビリオンメインファセット１４２の両側にあるロワーガードルファセット１５２に向かう。また−ｘ軸側クラウンメインファセット１２６とテーブルファセット１２２との間にある２個のスターファセット１３２から入射した光、及び−ｘ軸側クラウンメインファセット１２６とガードルとの間にある２個のアッパーガードルファセット１３６から入射した光の一部は、−ｘ軸側パビリオンメインファセット１４２の両側にあるロワーガードルファセット１５２に向かう。−ｘ軸側ロワーガードルファセット１５２で反射された光の一部と、−ｘ軸側パビリオンメインファセット１４２で反射された光の一部とが、ｘ軸側パビリオンメインファセット１４２の両側にあるロワーガードルファセット１５２に向かって、そこで反射を受ける。その光の一部は、ｘ軸側クラウンメインファセット１２６の周りにある２個のスターファセット１３２および２個のアッパーガードルファセット１３６を通ってダイヤモンド１００の外へ出るので、スターファセット１３２およびアッパーガードルファセット１３６をも明るく輝かす。中心軸に関して互いに反対の位置にある１対のパビリオンメインファセットと１対のクラウンメインファセットとが共通の垂直面を持つときには、テーブルファセットとクラウンメインファセットとともに、その周辺にあるスターファセットとアッパーガードルファセットも明るく輝く。しかし、これらの輝きはテーブルファセットとクラウンメインファセットの輝きに付随して起こるので、本明細書の以下の部分ではスターファセットとアッパーガードルファセットについての説明は省略する。【００５５】
これらのファセットが共通の垂直面を持たず、例えばそのうちのｘ軸方向に延びたパビリオンメインファセット対が共通の垂直面をそれらのファセット内に持っていないと、その一方のパビリオンメインファセットに達した光が他方のパビリオンメインファセットに向かわなくなる。そのために、ダイヤモンド内で４〜６回あるいはそれ以上反射してテーブルファセットやクラウンメインファセットからダイヤモンドの上に出たり、あるいはパビリオンメインファセットやロワーガードルファセットで反射されずに通過するので、ダイヤモンドの輝きが弱くなる。オーバルブリリアントカットダイヤモンドは、ラウンドブリリアントカットダイヤモンドと同様に、パビリオンは台座に埋め込まれて用いられるので、パビリオンにある各ファセットからダイヤモンドの外へ出る光は輝きに寄与しない。【００５６】
図６に実施例１のオーバルカットしたダイヤモンド１００のｙｚ断面を用いて光路を示している。テーブルファセット１２２，−ｙ軸側クラウンメインファセット１２６を通って外部からダイヤモンド１００内に入射した光はそれぞれテーブルファセットおよびクラウンメインファセットで屈折されて、−ｙ軸側パビリオンメインファセット１４４で反射されてｙ軸側パビリオンメインファセット１４４に向かい、そこで反射を受ける。それらの光はテーブルファセット１２２とｙ軸側クラウンメインファセット１２６を通ってダイヤモンドの外に出る。この場合もダイヤモンドに入射した光はダイヤモンド内で２回反射を受けて、テーブルファセットやクラウンメインファセットから外へ出るので光の輝きが強い。２等分線の方向にあるパビリオンメインファセット１４６の対およびクラウンメインファセット１２６についても光路は同様なので説明を省略する。しかし、テーブルファセット１２２の外周に近い部分には暗い影が生じる。テーブルファセット１２２の外辺に近い部分から外へ光が出るためには、図６に太い破線で示すように、ガードル内面で反射あるいはガードルを通過した光がなければならない。しかしこれらの光はほとんどないかあるいは極めて少ないために、テーブルファセット外辺近くに影が生じる。【００５７】
実施例１のオーバルカットしたダイヤモンド（短長径比（ｂ／ａ）：０．８）で、反射評価指数を求めた結果を表１に示している。表１から明らかなように、これらのダイヤモンドの反射評価指数は各々３４８，３５１であり、後で説明する比較例のダイヤモンドよりも輝きが強いものであった。また調整面を設けた実施例３のダイヤモンドとほぼ同じレベルの反射評価指数を示した。【００５８】
【表１】
0004387405.tif 000002
【実施例２】
【００５９】
本発明の実施例２によるオーバルカットしたダイヤモンド２００を図７から図１０を参照しながら説明する。図７はダイヤモンド２００の上面図、図８は底面図、図９は正面図、図１０は側面図をそれぞれ示している。これらの図および以下の説明で実施例１のダイヤモンド１００と同じ部分は同じ参照符号を用いている。ダイヤモンド２００は柱状のガードル２１０と、そのガードル２１０の上部にクラウン１２０と、ガードル２１０の下部にパビリオン１４０を持つ。ダイヤモンド２００のクラウン１２０とパビリオン１４０は、実施例１のダイヤモンド１００のクラウン１２０とパビリオン１４０とそれぞれ同じ構造をしている。【００６０】
ガードル２１０の水平断面は１６辺形をしている。アッパーガードルファセット１３６がガードル２１０の外周面と直線で交わっており、またロワーガードルファセット１５２それぞれがガードル２１０の外周面と直線で交わっていて、アッパーガードルファセット１３６とガードル外周面との交線がほぼ直線２１２となっているが、ロワーガードルファセットとガードル外周面との交線の各端とを結ぶ線は実施例１におけるのと同じように短軸側では下に反り、長軸側では上に反った楕円となっている。そのために、ガードルハイトは長軸側では小さく、短軸側では大きく、それらの中間ではそれらの中間の値となっている。ダイヤモンド２００はクラウンおよびパビリオンの各ファセットの構造がダイヤモンド１００のそれらと全く同じなので、反射特性もダイヤモンド１００と同じである。
【実施例３】
【００６１】
本発明の実施例３によるオーバルカットしたダイヤモンド３００を図１１から図１５を参照しながら説明する。図１１はダイヤモンド３００の底面図、図１２は正面図、図１３は側面図をそれぞれ示し、図１４はダイヤモンド３００のｚｘ断面を用いて光路を説明する図、図１５はダイヤモンド３００のｙｚ断面を用いて光路を説明する図である。ダイヤモンド３００のクラウン１２０は実施例１のクラウン１２０と全く同じなので、上面図は図１を援用することとする。これらの図および以下の説明で実施例１のダイヤモンド１００と同じ部分は同じ参照符号を用いている。ダイヤモンド３００は柱状のガードル３１０と、そのガードル３１０の上部にクラウン１２０と、ガードル３１０の下部にパビリオン３４０を持つ。【００６２】
ダイヤモンド３００では、パビリオン３４０に形成されているパビリオンメインファセット３４２，３４４，３４６とロワーガードルファセット３５２，３５２ａ，３５２ｂ、３５２ｃとは、ｚｘ面の近くでは実施例１のダイヤモンド１００におけるパビリオン１４０におけるのと同様に形成されているが、それらのファセットと短軸側ガードル下部稜との間に、調整面が形成されている。【００６３】
調整面としては、短軸側パビリオンメインファセット３４４のガードルに近いところにそのパビリオン角よりも少し大きな角度をテーブルファセットとの間に持った三角形のファセット３９４が、部分四辺形となったパビリオンメインファセット３４４とガードル３１０との間に設けられている。パビリオンメインファセット３４４とこの調整面３９４とが交わった線が稜線３９８を形成している。稜線３９８までのｚｘ面からの距離は、長径（ａ）を用いて示すと０．５ａ〜０．６ａが好ましい。稜線３９８は、パビリオンメインファセット３４４の両側にあるロワーガードルファセット３５２ａ、２等分線方向にあるパビリオンメインファセット３４６とロワーガードルファセット３５２ａとの間にあるロワーガードルファセット３５２ｂ、パビリオンメインファセット３４６およびそれに更に隣り合っているロワーガードルファセット３５２ｃを横断して続いて、ロワーガードルファセット３５２ｃの途中でガードル３１０と交差している。稜線３９８によって、ロワーガードルファセット３５２ａとガードル３１０との間に調整面３９８ａが、ロワーガードルファセット３５２ｂとガードル３１０との間に調整面３９８ｂが、パビリオンメインファセット３４６とガードル３１０との間に調整面３９６が、またロワーガードルファセット３５２ｃとガードル３１０との間に調整面３９８ｃが形成されている。【００６４】
これらの調整面３９４，３９８ａ、３９８ｂ、３９６，３９８ｃはガードルハイトが全周に亘って実質的に同じ値となるように形成することが好ましい。図１２の正面図、図１３の側面図にあるように、ガードル３１０とクラウン１２０との間にある稜線にはアッパーガードルファセット１３６それぞれの下端中央がガードル側に突出し、ガードル３１０とパビリオン３４０との間にある稜線にはロワーガードルファセット３５２、３５２ｃおよび調整面３９８ａ、３９８ｂ、３９８ｃそれぞれの上端中央がガードル側に突出し、それらの部分ではガードルハイトが小さくなって見えるが、アッパーガードルファセット下端中央とロワーガードルファセット上端中央や調整面上端中央のガードルへの突出はガードルが楕円の外周面をしているためであり、アッパーガードルファセット同士の間にある稜線あるいはそれらのファセットとクラウンメインファセットとの間にある稜線がガードルと交わる点を結んでいる直線３１２と、ロワーガードルファセット同士の間にある稜線、ロワーガードルファセットとパビリオンメインファセットとの間にある稜線あるいは調整面同士の間にある稜線がガードルと交わる点を結んでいる直線３１４との間の距離によってガードルハイトを定義すると、ガードルハイトをガードル全周に亘って実質的に一定とすることができる。また、ガードル外周面がその上下端で直線で挟まれていることが望ましい。【００６５】
ガードルハイトが部分的に変わっていたり、ガードル外周面を挟んでいるその上下端の線に大きな凹凸があると、外観が悪くなる。また、ガードル外周面はテーブルファセットへ向かう反射光に寄与することが少ないために、テーブルファセットに暗い部分が生じる。しかし、アッパー／ロワーのガードルファセット同士の間にある稜線あるいはそれらのファセットとクラウン／パビリオンのメインファセットとの間にある稜線がガードルと交わる点が直線３１２あるいは３１４から長径（ａ）の１５％程度まで上あるいは下へずれても本発明の効果を得ることができる。この程度のずれはファセット研磨加工の上から必要なことがある。【００６６】
実施例３のオーバルカットしたダイヤモンド３００は、実施例１のダイヤモンド１００と同様に、各パビリオンメインファセットと各クラウンメインファセットとは八分割面と垂直に交わっており、すべてのパビリオンメインファセット３４２，３４４，３４６についてそれぞれテーブルファセット１２２となす角度（パビリオン角（ｐ））が同じとなっている。また、すべてのクラウンメインファセット１２６についてそれぞれテーブルファセット１２２となす角度（クラウン角（ｃ））を同じとすることが出来る。しかも、調整面をパビリオンの短径側に設けることでガードルハイトが図１２，図１３に示しているようにガードル全周に亘って実質的に同じとなっている。そのために外観のよいものとなっている。更に、テーブルファセットの短軸側周辺に近いところにも反射光が出て来るので明るく輝く。【００６７】
図１４に実施例３のオーバルカットしたダイヤモンド３００のｚｘ断面を用いて、光路を示している。テーブルファセット１２２あるいは−ｘ軸側にあるクラウンメインファセット１２６を通って外部からダイヤモンド３００内に入射した光はテーブルファセットあるいはクラウンメインファセットで屈折されて、−ｘ軸側にあるパビリオンメインファセット３４２へ向かう。これらの光は−ｘ軸側パビリオンメインファセット３４２で反射されて、ｘ軸側パビリオンメインファセット３４２に向かい、そこで反射を受ける。それらの光はテーブルファセット１２２あるいはｘ軸側クラウンメインファセット１２６を通ってダイヤモンド３００の外部に出る。このようにテーブルファセットあるいはクラウンメインファセットから入りダイヤモンド内で２回反射を受けて、テーブルファセットあるいはメインファセットからダイヤモンド３００の外部に出るのは実施例１と同じである。【００６８】
図１５に実施例３のオーバルカットしたダイヤモンド３００のｙｚ断面を用いて光路を示している。テーブルファセット１２２あるいは−ｙ軸側クラウンメインファセット１２６を通って外部からダイヤモンド３００内に入射した光はテーブルファセットあるいはクラウンメインファセットで屈折されて、−ｙ軸側パビリオンメインファセット３４４で反射されてｙ軸側パビリオンメインファセット３４４に向かい、そこで反射を受ける。それらの光はテーブルファセット１２２あるいはｙ軸側クラウンメインファセット１２６を通ってダイヤモンドの外に出る。テーブルファセット１２２の外周に近い部分では太い実線で示すように、ガードルのすぐ下にある調整面３９４又は３９８ａ、３９８ｂなどで反射した光が出てくるので、その部分が明るく輝く。この点で、実施例３のダイヤモンド３００は実施例１のダイヤモンド１００よりも優れている。【００６９】
実施例３と比較例との比較
ラウンドブリリアントカットダイヤモンドのガードルを縦方向に扁平としたオーバルカットしたダイヤモンドの一例を図１６〜図１９に示して、これを比較例のオーバルカットしたダイヤモンド８００とする。これらの図で図１６は上面図、図１７は底面図、図１８は正面図、図１９は側面図である。ガードル８１０は、図１８と図１９から明らかなように、ガードル全周に亘って一様な高さを持つ。クラウン８２０では、クラウンメインファセット８２６がすべて同じクラウン角（ｃ）を持ったままでテーブルファセット８２２をｙ軸方向に扁平としている。パビリオン８４０では、パビリオンメインファセット８４２，８４４，８４６がキュレット８６２とガードル下部稜上の点とを対頂点とする四辺形で形成されている。そのためにｘ軸方向に延びた２個のパビリオンメインファセット８４２のパビリオン角は小さく、ｙ軸方向に延びた２個のパビリオンメインファセット８４４のパビリオン角は大きくなっている。そしてｘ軸方向とｙ軸方向との中間に設けられた２個のパビリオンメインファセット８４６のパビリオン角は、ｘ軸方向パビリオンメインファセット８４２のパビリオン角とｙ軸方向パビリオンメインファセット８４４のパビリオン角との間の値となっている。ｘ軸方向パビリオンメインファセット８４２は下頂点８６２を通る中心軸（ｚ軸）に向かって、すなわちパビリオンメインファセット８４２の垂線が中心軸と交わっている。また、ｙ軸方向パビリオンメインファセット８４４は、下頂点８６２を通る中心軸（ｚ軸）に向かって、すなわちパビリオンメインファセット８４４の垂線が中心軸と交わっている。しかし、パビリオンメインファセット８４６の垂線は中心軸（ｚ軸）に向かっていない。【００７０】
そのために、ｘ軸方向では中心軸に関して反対の位置にある１対のクラウンメインファセット８２６と１対のパビリオンメインファセット８４２とテーブルファセット８２２とがそれらのファセット内に共通の垂直面（図１６と図１７とに太い破線で示す）８７２を持っている。また、ｙ軸方向では中心軸に関して反対の位置にある１対のクラウンメインファセット８２６と１対のパビリオンメインファセット８４４とテーブルファセット８２２とがそれらのファセット内に共通の垂直面８７４を持っている。しかし、ｘ軸とｙ軸との中間の方向では、中心軸に関して反対の位置にある１対のクラウンメインファセット８２６とテーブルファセット８２２とはそれらのファセット内に共通の垂直面８７６を持つが、パビリオンメインファセット８４６はその垂直面８７６をそれらのファセット内に持たず、さらに垂直とはなっていない。図１７に示すように、ｘ軸とｙ軸との中間にあるパビリオンメインファセット８４６に立てた垂直面８７７と−ｘ軸と−ｙ軸との中間にあるパビリオンメインファセット８４６に立てた垂直面８７８とは一致しない。【００７１】
実施例３のオーバルカットしたダイヤモンド３００と、上で説明した比較例のオーバルカットしたダイヤモンド８００とについて反射評価指数を求めた結果をグラフにして図２０に示している。図２０では、短長径比（ｂ／ａ）を横軸にとって、実施例３と比較例のダイヤモンドについて短長径比（ｂ／ａ）を変えて反射評価指数を求めた結果を縦軸に示している。実施例３のダイヤモンド３００は、パビリオン角：３８．５°、クラウン角：２７．９２°としている。比較例のダイヤモンド８００は長軸側パビリオン角：３８．５°とし、クラウン角はすべて２７．９２°である。このグラフから明らかなように、短長径比（ｂ／ａ）が０．７では、実施例３のダイヤモンド３００の反射評価指数が約２８０で、比較例は約１００であり、実施例３のものは比較例の２８０％であった。短長径比（ｂ／ａ）：０．８では、実施例３のダイヤモンド３００の反射評価指数が約３５０で、比較例は約１７０であり、実施例３のものは比較例の約２倍であった。【００７２】
オーバルカットしたダイヤモンドは短長径比を０．６未満にすると極めて細長いものとなって加工が困難となるファセットが現れてくるので、短長径比を０．６以上にする必要がある。更に、図２０に示すように、ラウンドブリリアントカットダイヤモンド（短長径比（ｂ／ａ）：１．０）の反射評価指数が約５００であったものが短長径比（ｂ／ａ）が０．６となると２５０未満となるので輝きが低くなる。短長径比（ｂ／ａ）が０．７以上で反射評価指数が２５０以上となって輝きが強くなる。そこでオーバルカットダイヤモンドの短長径比（ｂ／ａ）は０．６以上必要である。反対に短長径比（ｂ／ａ）が１．０に近づくと、ラウンドブリリアントカットに近づくので、本発明を適用する必要がないので、短長径比（ｂ／ａ）は０．９５未満とする必要がある。【００７３】
パビリオン角（ｐ）とクラウン角（ｃ）の領域
オーバルカットしたダイヤモンド（短長径比（ｂ／ａ）：０．８）で、パビリオン角（ｐ）と、クラウン角（ｃ）とを変えた試料Ａ〜Ｕについて反射評価指数を求めた結果を表２に示す。またこれらの試料について縦軸を横軸をパビリオン角（ｐ）、クラウン角（ｃ）として描いたグラフを図２１に示す。図１６〜図１９に示した比較例のオーバルカットダイヤモンド（短長径比（ｂ／ａ）：０．８）は、発明者等の調査によると、反射評価指数の最大値が約２５０であった。そこで、反射評価指数が２５０以上となった試料は表２の試料Ａ〜ＵのうちＡからＰなので、それらの試料のパビリオン角（ｐ）とクラウン角（ｃ）との領域を本発明で好ましい範囲として図２１に太い実線で囲って示している。このように好ましいパビリオン角（ｐ）とクラウン角（ｃ）とは、横軸をパビリオン角（ｐ）とし、縦軸をクラウン角（ｃ）として描いたグラフ上の点（ｐ，ｃ）：（４３°，１０°）、（４１°，１４°）、（３７°，２３°）、（３５°，３３°）、（３５°，３６°）、（３７°，４２°）、（３９°，４２°）、（４１°，３６°）、（４３°，２４°）および（４４．７°，９°）を結ぶ線で囲まれた領域である。【００７４】
【表２】
0004387405.tif 000003
【実施例４】
【００７５】
本発明の実施例４によるオーバルカットしたダイヤモンド４００を図２２から図２４を参照しながら説明する。図２２はダイヤモンド４００の底面図、図２３は正面図、図２４は側面図をそれぞれ示す。ダイヤモンド４００のクラウン１２０は実施例１のクラウン１２０および実施例２のクラウン１２０と全く同じなので、上面図は図１を援用することとする。これらの図および以下の説明で実施例１のダイヤモンド１００あるいは実施例３のダイヤモンド３００と同じ部分は同じ参照符号を用いている。ダイヤモンド４００は柱状のガードル４１０と、そのガードル４１０の上部にクラウン１２０と、ガードル４１０の下部にパビリオン３４０を持つ。パビリオン３４０は実施例３のダイヤモンド３００のパビリオンと実質的に同じ構造をしている。【００７６】
ガードル４１０の水平断面は１６辺形をしている。アッパーガードルファセット１３６がガードル４１０の外周面と直線４１２で交わっており、ロワーガードルファセット３５２、３５２ｃと調整面３９８ａ、３９８ｂ、３９８ｃとがガードル４１０の外周面と直線４１４で交わっている。直線４１２と４１４とでガードル外周面が挟まれていて、ガードルは１６面柱となっている。直線４１２と４１４との距離がガードルハイトである。実施例４のダイヤモンド４００は実施例３のダイヤモンド３００とガードル外周の形状を除いて全く同じなので、ガードルハイトについても同じである。しかし、実施例４のダイヤモンド４００では、実施例３のダイヤモンド３００のようにアッパーガードルファセット１３６とロワーガードルファセットや調整面がガードル外周面と交わっている交線が円弧ではなく直線となっているので、ガードルハイトがガードル全周に亘って実質的に同じ値を持つことは図２３および図２４から理解できるであろう。ダイヤモンド４００はクラウンおよびパビリオンの各ファセットの構造がダイヤモンド３００のそれらと全く同じなので、反射特性もダイヤモンド３００と同じである。
【実施例５】
【００７７】
本発明のオーバルカットをしたダイヤモンドの実施例５を図面に基づいて詳しく説明をする。実施例５のオーバルカットをしたダイヤモンド５００は、２個の楕円弧あるいは円弧が交わって形成されたガードル５１０を持っており、一般にマルキーズと呼ばれている。このダイヤモンドはガードルの輪郭線が楕円に類似した形をしており、本発明が適用できる。図２５は本発明の実施例５によるオーバルカットしたダイヤモンドの上面図、図２６はその底面図、図２７は正面図、図２８は側面図をそれぞれ示している。これらの図で、オーバルカットしたダイヤモンド５００は柱状のガードル５１０と、そのガードル５１０の上部にクラウン５２０と、ガードル５１０の下部にパビリオン５４０とを持つ。クラウン５２０はその頂部に八辺形をしたテーブルファセット５２２を持っている。図２５はクラウン５２０を上部から見た図であり、図２６はパビリオン５４０を底部から見た図となっている。【００７８】
図２５に示す上面図と図２６に示す底面図から明らかなように、実施例５のオーバルカットしたダイヤモンド５００はそのガードル５１０の側面が２個の円弧５０５，５０５′から構成されている。【００７９】
以下の説明においても便宜のために、ガードル断面の輪郭線の長軸を含みテーブルファセットに垂直な平面を中央面、中央面上にあってテーブルファセットと垂直に交わる直線を中心軸とする。この実施例においても中心軸は輪郭線長軸の中央すなわち八辺形をしたテーブルファセット５２２の中心にあり、それをｚ軸とする。ｚ軸の原点はガードルの上部断面すなわちクラウンとガードルとの間の断面上にあるとする。原点からガードルの長軸方向にｘ軸を、原点からガードルの短軸方向にｙ軸を描く。そして長軸と短軸とのなす角をほぼ２等分する２等分線を描く。中心軸（ｚ軸）を含みｘ軸、２等分線、ｙ軸それぞれの方向に延びる平面を八分割面５７０と呼ぶ。【００８０】
図２５，図２７および図２８を参照して、テーブルファセット５２２の対向する２頂点５２３はそれぞれｘ軸方向の八分割面上と、−ｘ軸方向の八分割面上とに、すなわち中央面上に位置しており、他の６頂点５２４，５２５それぞれは中央面に関して対称の位置に頂点を持つ。図２５では、テーブルファセット５２２がｙ軸に関して対称となっているので、２頂点５２４はｙ軸を含む八分割面上にある。クラウン５２０はテーブルファセット５２２の他に、８個の四辺形をしたクラウンメインファセット５２６と、８個の三角形をしたスターファセット５３２と、１６個のアッパーガードルファセット５３６とを持つ。【００８１】
テーブルファセット５２２の対向する２頂点５２３は中心軸（ｚ軸）からｘ軸方向（長軸方向）に実質的に同じ距離にあり、他の対向する２頂点５２４は中心軸からｙ軸方向（短軸方向）に実質的に同じ距離にあり、更に他の４頂点５２５それぞれは長軸と短軸とのなす角を２等分する２等分線の方向に、必ずしも２等分線の上ではないが、中心軸から実質的に同じ距離にある。【００８２】
クラウンメインファセット５２６それぞれは、八分割面それぞれがガードル５１０の上部稜と交差する各点５２７，５２８および５２９と、テーブルファセット５２２の各頂点５２３，５２４および５２５とを対頂点５２７と５２３，５２８と５２４および５２９と５２５としており、隣接するクラウンメインファセット５２６との間で他の頂点５２１を共有している四辺形である。クラウンメインファセット５２６それぞれは各八分割面と垂直に交わっている。また、クラウンメインファセットがテーブルファセットとの間に持つ角度（クラウン角（ｃ））を８個のクラウンメインファセットについて同じとすることが好ましい。【００８３】
クラウンメインファセット５２６を形成する際に、各八分割面と垂直に交わるとともにテーブルファセットとの間に同じ角度を持つ平面をテーブルファセットの１頂点を通るように形成する。その平面と当該八分割面との交線がそのガードルと交わった点を、クラウンファセットのガードル上の頂点とすることができる。例えば、ｘ軸とｙ軸とのなす角を２等分する方向にあるクラウンメインファセット５２６の場合、ｘ軸とｙ軸とのなす角を２等分する方向の八分割面と垂直に交わり予め決めたクラウン角を持つ平面をテーブルファセットの頂点５２５を通るように形成する。その平面とその八分割面５７０との交線がガードル５１０と交わった点５２９をガードル上の頂点とする。このようにして、クラウンメインファセット５２６は対頂点５２５と５２９とを持つようになる。他の７個のクラウンメインファセット５２６を同様に形成する。クラウンメインファセットの隣り合ったもの同士の交線の上でテーブルファセットからの深さが同じとなる点を頂点５２１とする。このように形成した８個の四辺形をしたクラウンメインファセット５２６はそれぞれ八分割面と垂直に交わっているとともに、すべてのクラウンメインファセットのクラウン角（ｃ）が同じとなる。【００８４】
スターファセット５３２それぞれは、テーブルファセット５２２の各辺（例えば、線分５２３−５２５）を底辺として、その辺（例えば、５２３−５２５）の両端５２３と５２５にそれぞれ頂点を持って隣接する２個のクラウンメインファセット５２６と５２６が共有している点５２１を頂点として持つ三角形である。【００８５】
アッパーガードルファセット５３６それぞれは、クラウンメインファセット５２６の側辺のうちガードル５１０の上部稜上に一端（例えば、５２７）を持つ辺（例えば、５２７−５２１）を底辺として、ガードル上部稜上に頂点（例えば５３８）を持つ。それは通常三角形をしているが、図にあるようにガードルとの交線が楕円弧となっている楕円セクターの場合もある。【００８６】
図２６から図２８を参照して、パビリオン５４０は中心軸の下端に下頂点５６２，すなわちキュレットを持つ。パビリオン５４０は下頂点５６２とガードル５１０の下部稜との間がほぼ楕円錐形となっており、その外周に８個のパビリオンメインファセット５４２，５４４、５４６と１６個のロワーガードルファセット５５２とを持つ。【００８７】
パビリオンメインファセット５４２，５４４、５４６それぞれは、下頂点５６２とガードル５１０の下部稜との間で、八分割面５７０の方向に下頂点５６２から延びており、ｘ軸方向に延びたパビリオンメインファセット５４２、ｙ軸方向に延びたパビリオンメインファセット５４４、ｘ軸とｙ軸との間を２等分する方向に延びたパビリオンメインファセット５４６ともに四辺形あるいは部分四辺形となっている。そして、パビリオンメインファセット５４２は隣り合っているパビリオンメインファセット５４６との間に下頂点５６２を一端とする辺５８６を共有している。他のパビリオンメインファセット５４４，５４６についても同様に隣り合っているパビリオンメインファセットとの間に下頂点５６２を一端とする辺５８６を共有している。【００８８】
ロワーガードルファセット５５２それぞれは、パビリオン楕円錐形外周面上で、パビリオンメインファセット５４２，５４４，５４６とガードル５１０の下部稜との間に形成されていて、パビリオンメインファセットの側辺のうちガードル下部稜上に一端を持つ辺（例えば、５４８−５８７）を底辺として、ガードル下部稜上に頂点（例えば、５５４）を持つ三角形あるいは楕円セクターであるということができる。【００８９】
ガードル５１０の長軸端においてガードルに外接する外接円５４７を、中心軸を中心にして描く（図２６参照）。八分割面５７０それぞれが外接円５４７と点５４８，５４９および５５０で交わる。パビリオンメインファセット５４２，５４４，５４６それぞれは、下頂点５６２と点５４８，５４９，５５０それぞれとを対頂点として持つ。そこで各パビリオンメインファセットは八分割面５７０それぞれと垂直に交わっている。また各パビリオンメインファセットがテーブルファセットとの間に持つ角度（パビリオン角（ｐ））を同じとしている。パビリオンメインファセット５４２，５４４，５４６それぞれは下頂点５６２を一端とした辺５８６と、その辺５８６の他端５８７とを、隣接するパビリオンメインファセットとの間で共有している。図２６から明らかなように短軸側では、ガードル５１０の短径が外接円５４７の半径よりも小さくなっているので、短軸側にあるパビリオンメインファセット５４４のガードル側先端が切断されて部分四辺形となっている。【００９０】
ロワーガードルファセット５５２それぞれは、図２６を参照して、隣接する２個のパビリオンメインファセット（例えば、５４２と５４６）が共有している辺５８６の他端５８７と、八分割面と外接円５４７との交点５５０とを通る辺（線分５８７−５５０）を持つ。そして、隣接する２個の八分割面５７０がなす角を２等分する面がガードル５１０と交わる点５５４をロワーガードルファセット５５２は頂点として持つ。そこでロワーガードルファセット５５２は線分５８７−５５０と線分５５４−５８７とで挟まれた３角形あるいは楕円セクターである。【００９１】
実施例５ではパビリオンメインファセット５４２，５４４，５４６のそれぞれは中心軸の下頂点５６２と外接円５４７上の点５４８，５４９，５５０とを結んでいるので、各パビリオンメインファセットとテーブルファセット５２２との間でなす角度（パビリオン角（ｐ））が同じとなっている。【００９２】
ダイヤモンド５００では、パビリオン５４０に形成されているパビリオンメインファセット５４４，５４６とガードル下部稜との間およびロワーガードルファセット５５２ａ，５５２ｂ、５５２ｃとガードル下部稜との間に、調整面が形成されている。【００９３】
調整面としては、短軸側パビリオンメインファセット５４４のガードルに近いところにそのパビリオン角よりも少し大きな角度をテーブルファセットとの間に持った三角形のファセット５９４が、部分四辺形となったパビリオンメインファセット５４４とガードル５１０との間に設けられている。パビリオンメインファセット５４４とこの調整面５９４とが交わった線が稜線５９８を形成している。稜線５９８までのｚｘ面からの距離は、長径（ａ）を用いて示すと０．５ａ〜０．６ａが好ましい。稜線５９８は、パビリオンメインファセット５４４の両側にあるロワーガードルファセット５５２ａ、２等分線方向にあるパビリオンメインファセット５４６とロワーガードルファセット５５２ａとの間にあるロワーガードルファセット５５２ｂ、パビリオンメインファセット５４６およびそれに更に隣り合っているロワーガードルファセット５５２ｃを横断して続いて、ロワーガードルファセット５５２ｃの途中でガードル５１０と交差している。稜線５９８によって、ロワーガードルファセット５５２ａとガードル５１０との間に調整面５９８ａが、ロワーガードルファセット５５２ｂとガードル５１０との間に調整面５９８ｂが、パビリオンメインファセット５４６とガードル５１０との間に調整面５９６が、またロワーガードルファセット５５２ｃとガードル５１０との間に調整面５９８ｃが形成されている。【００９４】
これらの調整面５９４，５９８ａ、５９８ｂ、５９６，５９８ｃはガードルハイトが全周に亘って実質的に同じ値となるように形成することが好ましい。図２７の正面図、図２８の側面図にあるように、ガードル５１０とクラウン５２０との間にある稜線にはアッパーガードルファセット５３６それぞれの下端中央がガードル側に突出し、ガードル５１０とパビリオン５４０との間にある稜線にはロワーガードルファセット５５２、５５２ｃおよび調整面５９８ａ、５９８ｂ、５９８ｃそれぞれの上端中央がガードル側に突出し、それらの部分ではガードルハイトが小さくなって見えるが、アッパーガードルファセット下端中央とロワーガードルファセット上端中央や調整面上端中央のガードルへの突出はガードルが楕円の外周面をしているためであり、アッパーガードルファセット同士の間にある稜線およびそれらのファセットとクラウンメインファセットとの間にある稜線がガードルと交わる点を結んでいる直線５１２と、ロワーガードルファセット同士の間にある稜線、ロワーガードルファセットとパビリオンメインファセットとの間にある稜線および調整面同士の間にある稜線がガードルと交わる点を結んでいる直線５１４との間の距離によってガードルハイトを定義すると、ガードルハイトをガードル全周に亘って実質的に一定とすることができる。また、ガードル外周面がその上下端で直線で挟まれていることが望ましい。しかし、ファセット研磨加工の必要からガードルハイトを長径（ａ）の１５％程度まで変えることができる。【００９５】
実施例５のオーバルカットしたダイヤモンド５００は、実施例１のダイヤモンド１００と同様に、そのすべてのクラウンメインファセット５２６についてそれぞれテーブルファセット５２２となす角度（クラウン角（ｃ））が同じでまたそのすべてのパビリオンメインファセット５４２，５４４，５４６についてそれぞれテーブルファセット５２２となす角度（パビリオン角（ｐ））が同じとなっている。しかも、調整面をパビリオンの短径側に設けることでガードルハイトが図２７，図２８に示しているようにガードル全周に亘って実質的に同じとなっている。そのために外観のよいものとなっている。更に、テーブルファセットの短軸側周辺に近いところにも反射光が出て来るので明るく輝く。【００９６】
オーバルカットしたダイヤモンド５００では、中心軸に関して互いに反対の位置にある２個のパビリオンメインファセットからなるパビリオンメインファセット対を４対持っている。中心軸に関して互いに反対の位置にある２個のパビリオンメインファセットからなる対は、ｘ軸方向に延びている２個のパビリオンメインファセット５４２の対、ｙ軸方向に延びている２個のパビリオンメインファセット５４４の対、２等分線の方向に延びている４個のパビリオンメインファセット５４６の２対である。更に、中心軸に関して互いに反対の位置にある２個のクラウンメインファセットからなるクラウンメインファセット対を４対持っている。中心軸に関して互いに反対の位置にあるクラウンメインファセット対は、ｘ軸方向に延びている２個のクラウンメインファセットの対、ｙ軸方向に延びている２個のクラウンメインファセットの対、２等分線の方向に延びているクラウンメインファセットの２対である。１対のパビリオンメインファセットそれぞれがガードルを挟んでクラウンメインファセットと向かい合っている。すなわち、ｘ軸方向に延びている１対のパビリオンメインファセットそれぞれはｘ軸方向に延びている１対のクラウンメインファセットそれぞれと向かい合っている。ｙ軸方向に延びている１対のパビリオンメインファセットそれぞれはｙ軸方向に延びている１対のクラウンメインファセットそれぞれと向かい合っている。２等分線の方向にある１対のパビリオンメインファセットと１対のクラウンメインファセットについても同様である。ガードルを挟んで向かい合っている１対のパビリオンメインファセットと１対のクラウンメインファセットとがそれぞれファセット内に共通の垂直面を持つとともに、その垂直面がテーブルファセットとテーブルファセット内で垂直に交わっている。これらのファセットが互いに共通の垂直面を持つことによって本発明のオーバルカットしたダイヤモンドは輝きが強いものとなっている。【００９７】
実施例５のオーバルカットしたダイヤモンド（短長径比（ｂ／ａ）：０．８）で、反射評価指数を求めた結果を表３に示している。表３から明らかなように、これらのダイヤモンドの反射評価指数は各々４０２，３２１であり、先に説明した比較例のダイヤモンドよりも輝きが強いものであった。【００９８】
【表３】
0004387405.tif 000004
【実施例６】
【００９９】
本発明のオーバルカットをしたダイヤモンドの実施例６を図面に基づいて詳しく説明をする。実施例６のオーバルカットをしたダイヤモンド６００は、３個の楕円弧（あるいは円弧）が組み合わさって形成されたガードル６１０を持っており、一般にペアシェイプと呼ばれている。このダイヤモンドはガードルの輪郭線が楕円に類似した形をしており、本発明が適用できる。図２９は本発明の実施例６によるオーバルカットしたダイヤモンドの上面図、図３０はその底面図、図３１は正面図、図３２は側面図をそれぞれ示している。これらの図で、オーバルカットしたダイヤモンド６００は柱状のガードル６１０と、そのガードル６１０の上部にクラウン６２０と、ガードル６１０の下部にパビリオン６４０とを持つ。クラウン６２０はその頂部に八辺形をしたテーブルファセット６２２を持っている。図２９はクラウン６２０を上部から見た図であり、図３０はパビリオン６４０を底部から見た図となっている。図２９，図３０でｙ軸よりも左側ではガードル６１０は楕円弧６０４となっており、ｙ軸よりも右側ではガードル６１０は円弧６０５，６０５′の交差した形をしている。【０１００】
以下の説明においても便宜のために、ガードル断面の輪郭線の長軸を含みテーブルファセットに垂直な平面を中央面、中央面上にあってテーブルファセットと垂直に交わる直線を中心軸とする。図では中心軸は輪郭線長軸の中央にある。そしてその中心軸をｚ軸とする。その原点はガードルの上部断面すなわちクラウンとガードルとの間にある断面上にあるとする。原点からガードルの長軸方向にｘ軸を、原点からガードルの短軸方向にｙ軸を描く。そして長軸と短軸とのなす角をほぼ２等分する２等分線を描く。中心軸（ｚ軸）を含みｘ軸、２等分線、ｙ軸それぞれの方向に延びる平面を八分割面６７０と呼ぶ。【０１０１】
図２９，図３１および図３２を参照して、テーブルファセット６２２の対向する２頂点６２３、６２３′はそれぞれ−ｘ軸方向の八分割面上と、ｘ軸方向の八分割面上とに、すなわち中央面上に位置しており、他の６頂点６２４，６２５それぞれは中央面に関して対称となった頂点を持つ。クラウン６２０はテーブルファセット６２２の他に、８個の四辺形をしたクラウンメインファセット６２６と、８個の三角形をしたスターファセット６３２と、１６個のアッパーガードルファセット６３６とを持つ。【０１０２】
クラウンメインファセット６２６それぞれは、八分割面それぞれがガードル６１０の上部稜と交差する各点６２７，６２８および６２９と、テーブルファセット６２２の各頂点６２３，６２４および６２５とを対頂点６２７と６２３，６２８と６２４および６２９と６２５として、隣接するクラウンメインファセット６２６との間で他の頂点６２１を共有している四辺形である。ｘ軸方向にあるクラウンメインファセット６２６′は、ガードル６１０の上部稜上の点６２７′とテーブルファセットの頂点６２３′とを対頂点としている。クラウンメインファセット６２６、６２６′それぞれは八分割面と垂直に交わっている。また、クラウンメインファセットがテーブルファセットとの間に持つ角度（クラウン角（ｃ））を８個のクラウンメインファセットについて同じとすることが好ましい。【０１０３】
クラウンメインファセット６２６を形成する際に、各八分割面と垂直に交わるとともにテーブルファセットとの間に同じ角度を持つ平面をテーブルファセットの１頂点を通るように形成する。その平面と当該八分割面との交線がそのガードルと交わった点を、クラウンファセットのガードル上の頂点とすることができる。例えば、ｘ軸とｙ軸とのなす角を２等分する方向にあるクラウンメインファセット６２６の場合、ｘ軸とｙ軸とのなす角を２等分する方向の八分割面と垂直に交わり予め決めたクラウン角を持つ平面をテーブルファセットの頂点６２５を通るように形成する。その平面とその八分割面６７０との交線がガードル６１０と交わった点６２９をガードル上の頂点とする。このようにして、クラウンメインファセット６２６は対頂点６２５と６２９とを持つようになる。他の７個のクラウンメインファセット６２６を同様に形成する。クラウンメインファセットの隣り合ったもの同士の交線の上でテーブルファセットからの深さが同じとなる点を他の頂点６２１とする。このように形成した８個の四辺形をしたクラウンメインファセット６２６はそれぞれ八分割面と垂直に交わっているとともに、すべてのクラウンメインファセットのクラウン角（ｃ）が同じとなる。【０１０４】
スターファセット６３２それぞれは、テーブルファセット６２２の各辺（例えば、線分６２３−６２５）を底辺として、その辺の両端６２３と６２５にそれぞれ頂点を持って隣接する２個のクラウンメインファセット６２６と６２６が共有している点６２１を頂点として持つ三角形である。【０１０５】
アッパーガードルファセット６３６それぞれは、クラウンメインファセット６２６の側辺のうちガードル６１０の上部稜上に一端（例えば、６２７）を持つ辺（例えば、６２７−６２１）を底辺として、ガードル上部稜上に頂点（例えば６３８）を持つ。それは通常三角形をしているが、図にあるようにガードルとの交線が楕円弧となっている楕円セクターの場合もある。【０１０６】
図３０から図３２を参照して、パビリオン６４０は中心軸の下端に下頂点６６２，すなわちキュレットを持つ。パビリオン６４０は下頂点６６２とガードル６１０の下部稜との間がほぼ楕円錐形となっており、その外周に８個のパビリオンメインファセット６４２，６４２′，６４４、６４６と１６個のロワーガードルファセット６５２とを持つ。【０１０７】
パビリオンメインファセット６４２，６４２′，６４４、６４６それぞれは、下頂点６６２とガードル６１０の下部稜との間で、八分割面６７０の方向に下頂点６６２から延びており、−ｘ軸方向に延びたパビリオンメインファセット６４２、ｙ軸方向に延びたパビリオンメインファセット６４４、ｘ軸とｙ軸との間を２等分する方向に延びたパビリオンメインファセット６４６ともに四辺形あるいは部分四辺形となっている。ここでパビリオンメインファセット６４２′は下頂点６６２からｘ軸方向に延びている四辺形である。そして、パビリオンメインファセット６４２，６４２′それぞれは隣り合っているパビリオンメインファセット６４６との間に下頂点６６２を一端とする辺６８６を共有している。他のパビリオンメインファセット６４４，６４６それぞれについても同様に隣り合っているパビリオンメインファセットとの間に下頂点６６２を一端とする辺６８６を共有している。【０１０８】
ロワーガードルファセット６５２それぞれは、パビリオン楕円錐形外周面上で、パビリオンメインファセット６４２，６４２′、６４４，６４６とガードル６１０の下部稜との間に形成されていて、パビリオンメインファセットの側辺のうちガードル下部稜上に一端を持つ辺（例えば、６４８−６８７）を底辺として、ガードル下部稜上に頂点（例えば、６５４）を持つ三角形あるいは楕円セクターであるということができる。【０１０９】
ガードル６１０の長軸両端においてガードルに外接する外接円６４７を、中心軸を中心にして描く（図３０参照）。八分割面６７０それぞれが外接円６４７と点６４８，６４８′、６４９および６５０で交わる。パビリオンメインファセット６４２，６４４，６４６それぞれは、下頂点６６２と点６４８，６４９，６５０それぞれとを対頂点として持つ。パビリオンメインファセット６４２，６４４，６４６それぞれは下頂点６６２を一端とした辺６８６と、その辺６８６の他端６８７とを、隣接するパビリオンメインファセットとの間で共有している。このように、各パビリオンメインファセットは外接円６４７の円周上の点と下頂点６６２とを対頂点として、それらを結ぶ対角線を持っており、その対角線がテーブルファセットとなす角（パビリオン角）が実質的に同じとなっている。また、各パビリオンメインファセットは各八分割面６７０と垂直となっている。図３０から明らかなように短軸側では、ガードル６１０の短径が外接円６４７の半径よりも小さくなっているので、短軸側にあるパビリオンメインファセット６４４のガードル側先端が切断されて部分四辺形となっている。【０１１０】
なお、上の説明で、８個のパビリオンメインファセットのパビリオン角（ｐ）を同じとしているが、ｘ軸側のパビリオンメインファセット６４２′がテーブルファセットとなす角（パビリオン角）が、他のパビリオンメインファセットのパビリオン角よりも小さくあるいは大きくすることもできる。そのときには、ｘ軸側のパビリオンメインファセット６４２′を除いた７個のパビリオンメインファセットはそれぞれの頂点を外接円６４７の上に持っていて、これら７個のパビリオンメインファセットのパビリオン角が同じであるが、ｘ軸側のパビリオンメインファセット６４２′はより小さなあるいはより大きなパビリオン角を持つようにすることができる。【０１１１】
ロワーガードルファセット６５２それぞれは、図３０を参照して、隣接する２個のパビリオンメインファセット（例えば、６４２と６４６）が共有している辺６８６の他端６８７と、八分割面と外接円６４７との交点６５０とを通る辺（線分６８７−６５０）を持つ。そして、隣り合う２個の八分割面のなす角を２等分する面がガードル６１０と交わる点６５４をロワーガードルファセット６５２は頂点として持つ。そこでロワーガードルファセット６５２は線分６８７−６５０と線分６５４−６８７とで挟まれた３角形あるいは楕円セクターである。【０１１２】
ダイヤモンド６００では、パビリオン６４０に形成されているパビリオンメインファセット６４４，６４６とガードル下部稜との間およびロワーガードルファセット６５２ａ，６５２ｂ、６５２ｃとガードル下部稜との間に、調整面が形成されている。【０１１３】
調整面としては、短軸側パビリオンメインファセット６４４のガードルに近いところにそのパビリオン角よりも少し大きな角度をテーブルファセットとの間に持った三角形のファセット６９４が、部分四辺形となったパビリオンメインファセット６４４とガードル６１０との間に設けられている。パビリオンメインファセット６４４とこの調整面６９４とが交わった線が稜線６９８を形成している。稜線６９８までのｚｘ面からの距離は、長径（ａ）を用いて示すと０．５ａ〜０．６ａが好ましい。稜線６９８は、パビリオンメインファセット６４４の両側にあるロワーガードルファセット６５２ａ、パビリオンメインファセット６４６とロワーガードルファセット６５２ａとの間にあるロワーガードルファセット６５２ｂ、パビリオンメインファセット６４６およびそれに更に隣り合っているロワーガードルファセット６５２ｃを横断して続いて、ロワーガードルファセット６５２ｃの途中でガードル６１０と交差している。稜線６９８によって、ロワーガードルファセット６５２ａとガードル６１０との間に調整面６９８ａが、ロワーガードルファセット６５２ｂとガードル６１０との間に調整面６９８ｂが、パビリオンメインファセット６４６とガードル６１０との間に調整面６９６が、またロワーガードルファセット６５２ｃとガードル６１０との間に調整面６９８ｃが形成されている。このように調整面をパビリオンの短径側に設けることによって、テーブルファセットの短径側周辺に近いところにも反射光が出てくるので明るく輝く。【０１１４】
これらの調整面６９４，６９８ａ、６９８ｂ、６９６，６９８ｃはガードルハイトが全周に亘って実質的に同じ値となるように形成することが好ましい。図３１の正面図、図３２の側面図にあるように、ガードル６１０とクラウン６２０との稜線にはアッパーガードルファセット６３６それぞれの下端中央がガードル側に突出し、ガードル６１０とパビリオン６４０との間にある稜線にはロワーガードルファセット６５２、６５２ｃおよび調整面６９８ａ、６９８ｂ、６９８ｃそれぞれの上端中央がガードル側に突出し、それらの部分ではガードルハイトが小さくなって見えるが、アッパーガードルファセット下端中央とロワーガードルファセット上端中央や調整面上端中央のガードルへの突出はガードルが楕円の外周面をしているためであり、アッパーガードルファセット同士の間にある稜線あるいはそれらのファセットとクラウンメインファセットとの間にある稜線がガードルと交わる点を結んでいる直線６１２と、ロワーガードルファセット同士の間にある稜線、ロワーガードルファセットとパビリオンメインファセットとの間にある稜線あるいは調整面同士の間にある稜線がガードルと交わる点を結んでいる直線６１４との間の距離によってガードルハイトを定義すると、実質的にガードルハイトをガードル全周に亘って一定とすることができる。また、ガードル外周面がその上下端で直線で挟まれていることが望ましい。このようにガードルハイトをガードル全周に亘って実質的に同じとなっているので、外観の良いダイヤモンドとなっている。しかし、アッパー／ロワーのガードルファセット同士の間にある稜線あるいはそれらのファセットとクラウン／パビリオンのメインファセットとの間にある稜線がガードルと交わる点が直線６１２あるいは６１４から長径（ａ）の１５％程度まで上下にずれても本発明の効果を得ることができる。この程度のずれはファセット研磨加工の上から必要なことがある。【０１１５】
オーバルカットしたダイヤモンド６００では、中心軸に関して互いに反対の位置にある２個のパビリオンメインファセットを対とした４対のパビリオンメインファセットを持っている。中心軸に関して互いに反対の位置にある２個のパビリオンメインファセットからなる対は、ｘ軸方向に延びている２個のパビリオンメインファセット６４２と６４２′の対、ｙ軸方向に延びている２個のパビリオンメインファセット６４４の対、２等分線の方向に延びている４個のパビリオンメインファセット６４６の２対である。更に、中心軸に関して互いに反対の位置にある２個のクラウンメインファセットを対とした４対のクラウンメインファセットを持っている。中心軸に関して互いに反対の位置にあるクラウンメインファセット対は、ｘ軸方向に延びている２個のクラウンメインファセットの対、ｙ軸方向に延びている２個のクラウンメインファセットの対、２等分線の方向に延びているクラウンメインファセットの２対である。１対のパビリオンメインファセットそれぞれがガードルを挟んでクラウンメインファセットと向かい合っている。すなわち、ｘ軸方向に延びている１対のパビリオンメインファセットそれぞれはｘ軸方向に延びている１対のクラウンメインファセットそれぞれと向かい合っている。ｙ軸方向に延びている１対のパビリオンメインファセットそれぞれはｙ軸方向に延びている１対のクラウンメインファセットそれぞれと向かい合っている。２等分線の方向にある１対のパビリオンメインファセットと１対のクラウンメインファセットについても同様である。ガードルを挟んで向かい合っている１対のパビリオンメインファセットと１対のクラウンメインファセットとがそれぞれファセット内に共通の垂直面を持つとともに、その垂直面がテーブルファセットとテーブルファセット内で垂直に交わっている。これらのファセットが互いに共通の垂直面を持つことによって本発明のオーバルカットしたダイヤモンドは輝きが強いものとなっている。【０１１６】
実施例６のオーバルカットしたダイヤモンド（短長径比（ｂ／ａ）：０．６７）で、反射評価指数を求めた結果を表４に示している。表４から明らかなように、これらのダイヤモンドの反射評価指数は各々４８５，５１３であり、先に説明した比較例のダイヤモンドよりも輝きが強いものであった。【０１１７】
【表４】
0004387405.tif 000005
【０１１８】
上で説明した本発明の各実施例の構造を持ったオーバルカットしたダイヤモンドを用いてその反射光パターンを観察すると、テーブルファセットおよびクラウンの各ファセットに強い反射光パターンが現れた。観察は図３３に示すように、平板９０２上にテーブルファセットを上で説明した本発明の実施例の構造を持ったオーバルカットしたダイヤモンドを用いてその反射光パターンを観察すると、テーブルファセットおよびクラウンの各ファセットに強い反射光パターンが現れた。平板９０２上にテーブルファセットを上向きにして置き、周辺からの光を円筒９０３で遮断して、オーバルカットしたダイヤモンド１００〜６００のテーブルファセットおよびクラウンの各ファセットからその中心軸に対して２０〜４５°の角度で光線９０４を照射した。ダイヤモンド１００〜６００の中で反射してパビリオン上に現れた反射光パターンをデジタルカメラ９１０で撮像して、それをＣＲＴ９２０で観察、あるいはそれをプリントして観察することができる。その反射光の強さを直接にあるいはプリント上の画像から光センサーなどによって測定することができる。次に円筒９０３を取り除き、ダイヤモンド１００〜６００の中心軸に対して０〜９０°の角度で光線を照射して同様に反射光パターンを観察し、その反射光の強さを測定する。これらの反射光の強さを平均した値を求めて反射光強度とする。【０１１９】
上で説明した各実施例にあるように、本発明は、テーブルファセットと平行なガードル断面の輪郭線が楕円となったオーバルカットしたダイヤモンドだけでなく、マルキーズやペアシェイプなどのように輪郭線が楕円に類似した形をしたダイヤモンドにも適用できる。
【図１】
0004387405.tif 000006
【図２】
0004387405.tif 000007
【図３】
0004387405.tif 000008
【図４】
0004387405.tif 000009
【図５】
0004387405.tif 000010
【図６】
0004387405.tif 000011
【図７】
0004387405.tif 000012
【図８】
0004387405.tif 000013
【図９】
0004387405.tif 000014
【図１０】
0004387405.tif 000015
【図１１】
0004387405.tif 000016
【図１２】
0004387405.tif 000017
【図１３】
0004387405.tif 000018
【図１４】
0004387405.tif 000019
【図１５】
0004387405.tif 000020
【図１６】
0004387405.tif 000021
【図１７】
0004387405.tif 000022
【図１８】
0004387405.tif 000023
【図１９】
0004387405.tif 000024
【図２０】
0004387405.tif 000025
【図２１】
0004387405.tif 000026
【図２２】
0004387405.tif 000027
【図２３】
0004387405.tif 000028
【図２４】
0004387405.tif 000029
【図２５】
0004387405.tif 000030
【図２６】
0004387405.tif 000031
【図２７】
0004387405.tif 000032
【図２８】
0004387405.tif 000033
【図２９】
0004387405.tif 000034
【図３０】
0004387405.tif 000035
【図３１】
0004387405.tif 000036
【図３２】
0004387405.tif 000037
【図３３】
0004387405.tif 000038